(57)【要約】【課題】バウンダリーマイクロホンにおいて、マイクロホンケース内に引き込まれているマイクコードを介して外来電磁波による高周波電流がマイクロホンケース内に流れ込まないようにする。【解決手段】２芯シールド被覆線からなるマイクコード３１のマイクロホンケース１内への引き込み部分を外皮３１ｄを除去してなるシールド線露出部３１０とし、そのシールド線露出部３１０を電気的接続手段４０（好ましくは導電布４１，より好ましくはシールド線露出部３１０の挿通孔を有するワッシャ状でコード挿通孔１２を塞ぐように配置される導電布４１）を介してベース部１０と電気的に接続し、外来電磁波による高周波電流のマイクロホンケース１内への流れ込みを確実に防止する。【選択図】図１
2008187581.tif 000002
【特許請求の範囲】
【請求項１】
上面側が開放された金属製のベース部と、多数の開口（音波導入孔）を有し上記ベース部の上面を覆うようにして上記ベース部に取り付けられる金属製のマイクカバーとにより構成される扁平なマイクロホンケースを備え、上記マイクロホンケース内に、インピーダンス変換器としてのＦＥＴ（電界効果トランジスタ）を含むコンデンサマイクユニットが収納されているとともに、上記ベース部に穿設されているコード挿通孔を介して外皮を有する２芯シールド被覆線からなるマイクコードが引き込まれて上記コンデンサマイクユニットと電気的に接続されているバウンダリーマイクロホンにおいて、
上記マイクコードの上記マイクロホンケース内への引き込み部分が、上記外皮を除去してなるシールド線露出部とされ、上記シールド線露出部が、所定の電気的接続手段を介して上記ベース部と電気的に接続されていることを特徴とするバウンダリーマイクロホン。
【請求項２】
上記電気的接続手段として、導電布（導電性繊維）が用いられることを特徴とする請求項１に記載のバウンダリーマイクロホン。
【請求項３】
上記導電布が、上記シールド線露出部の挿通孔を有するワッシャ状に形成されていることを特徴とする請求項２に記載のバウンダリーマイクロホン。
【請求項４】
上記ワッシャ状に形成された導電布が、上記マイクロホンケース内において上記コード挿通孔を塞ぐように配置されていることを特徴とする請求項３に記載のバウンダリーマイクロホン。
【発明の詳細な説明】
【技術分野】
【０００１】
本発明はバウンダリーマイクロホンに関し、さらに詳しく言えば、外来電磁波による雑音の発生を防止する技術に関するものである。
【背景技術】
【０００２】
バウンダリーマイクロホン（面上収音式マイクロホン）は、例えばＴＶスタジオや会議の席などにおいて机や床面に設置して使用されることからサーフェイスマウントマイクロホンとも呼ばれており、特許文献１に記載されているように、バウンダリーマイクロホンには扁平なマイクロホンケースが用いられる。
【０００３】
その一例を図２により説明する。図２（ａ）はバウンダリーマイクロホンの長手方向断面図，図２（ｂ）は図２（ａ）のＢ−Ｂ線に沿った幅方向の断面図である。
【０００４】
これによると、バウンダリーマイクロホンに用いられるマイクロホンケース１は、基本的に、上面側が開放された金属製の扁平なベース部１０と、その上面を覆うようにしてベース部１０に取り付けられる多数の開口（音波導入孔）を有する金属製のマイクカバー２０の２つの部品から構成される。
【０００５】
通常、ベース部１０は亜鉛ダイカストなどの鋳造により形成され、その後壁部１１にはコード挿通孔１２が穿設されている。また、ベース部１０の底面には、緩衝用のゴムシート１１が添着されている。
【０００６】
マイクカバー２０には、パンチングプレート（多孔板）が用いられる。パンチングプレートに代えて金網体が用いられることもある。マイクカバー２０は図示しないネジによりベース部１０に対してネジ止めされる。
【０００７】
バウンダリーマイクロホンには、通常、コンデンサマイクロホンが用いられる。コンデンサマイクロホンには、収音部としてのマイクロホンユニットと、音声信号出力回路，給電回路それに出力コネクタなどを有する出力モジュール部（パワーモジュール部と呼ばれることもある）とが含まれる。
【０００８】
大型のバウンダリーマイクロホンの場合、そのマイクロホンケース内にマイクロホンユニットと出力モジュール部とが収納されるが、小型のバウンダリーマイクロホンにおいては、図２（ａ）に示すように、マイクロホンユニット３０のみがマイクロホンケース１内に収納され、マイクロホンユニット３０は専用のマイクコード３１を介してケース外に設置されている図示しない出力モジュール部と接続される。
【０００９】
この場合、マイクロホンユニット３０側にインピーダンス変換器としてのＦＥＴ（電界トランジスタ）が内蔵される。図２（ｂ）に示すように、マイクロホンユニット３０は固定バンド１５によりベース部１０に固定され、そのアース側のユニットケースとベース部１０とが電気的に接続される。
【００１０】
マイクコード３１は、ゴム製のコードブッシュ１４を介してコード挿通孔１２に挿通され、所定の引き抜き強度を確保するため、コードブッシュ１４の内側に抜け止め用の結束具（インシュロック）１５が取り付けられる。
【００１１】
マイクコード３１には、上記出力モジュール部からマイクロホンユニット３０に電源を供給する電源線３１ａと、上記ＦＥＴから出力される音声信号を上記出力モジュール部に与える信号線３１ｂと、電源線３１ａおよび信号線３１ｂを静電遮蔽し接地と落とされるシールド線３１ｃとを含み、そのシールド線３１ｃの外周が電気絶縁性の外皮３１ｄで覆われた２芯シールド被覆線が用いられる。
【００１２】
このマイクコード３１によると、音声信号は不平衡で伝送されることから、外部からの雑音（電磁波など）に対して弱く、近年急速に普及されている携帯電話機から放射される強力な電磁波による雑音発生が問題となっている。
【００１３】
ちなみに、携帯電話機が使用されるとかなり強い電磁波（例えば、数ｃｍ〜数１０ｃｍ程度の範囲内では商用電波により市中で生じている電界強度の数万倍に達する電界強度）が発生され、この電磁波による高周波電流がマイクロホンケース１内に入り込むと、マイクロホンユニット３０に内蔵されているＦＥＴにより検波され雑音が発生する。
【００１４】
ベース部１０とマイクカバー２０との電気的な接続が高周波的に安定していれば、強い電磁波にさらされても大きな問題が発生しない。そこで、本出願人は、ベース部１０とマイクカバー２０との間に導電布（導電性繊維）を挟み込むことを特許文献２として提案している。
【００１５】
【特許文献１】実用新案登録第２５１５８１２号公報
【特許文献２】特開２００５−３３３１８０号公報
【発明の開示】
【発明が解決しようとする課題】
【００１６】
上記特許文献２に記載の発明によれば、マイクロホンケース周縁部のシールドについては所期の効果が得られる。
【００１７】
しかしながら、図２（ａ）に示すように、マイクロホンケース１内にマイクコード３１がある程度の長さを持って配線されている場合、その近傍で携帯電話機が使用されると、マイクコード３１のシールド線３１ｃを介して携帯電話機の強力な電磁波による高周波電流がマイクロホンユニット３０のシールド内に流れ込み、それがＦＥＴによって検波され雑音が発生することがある。
【００１８】
したがって、本発明の課題は、マイクロホンケース内に引き込まれているマイクコードを介して外来電磁波による高周波電流がマイクロホンケース内に流れ込まないようにすることにある。
【課題を解決するための手段】
【００１９】
上記課題を解決するため、本発明は、請求項１に記載されているように、上面側が開放された金属製のベース部と、多数の開口（音波導入孔）を有し上記ベース部の上面を覆うようにして上記ベース部に取り付けられる金属製のマイクカバーとにより構成される扁平なマイクロホンケースを備え、上記マイクロホンケース内に、インピーダンス変換器としてのＦＥＴ（電界効果トランジスタ）を含むコンデンサマイクユニットが収納されているとともに、上記ベース部に穿設されているコード挿通孔を介して外皮を有する２芯シールド被覆線からなるマイクコードが引き込まれて上記コンデンサマイクユニットと電気的に接続されているバウンダリーマイクロホンにおいて、上記マイクコードの上記マイクロホンケース内への引き込み部分が、上記外皮を除去してなるシールド線露出部とされ、上記シールド線露出部が、所定の電気的接続手段を介して上記ベース部と電気的に接続されていることを特徴としている。
【００２０】
本発明において、請求項２に記載されているように、上記電気的接続手段として、好ましくは導電布（導電性繊維）が用いられる。
【００２１】
また、請求項３に記載されているように、上記導電布が、上記シールド線露出部の挿通孔を有するワッシャ状に形成されていることが好ましい。
【００２２】
さらに好ましくは、請求項４に記載されているように、上記ワッシャ状に形成された導電布が、上記マイクロホンケース内において上記コード挿通孔を塞ぐように配置される。
【発明の効果】
【００２３】
本発明によれば、マイクコードのマイクロホンケース内への引き込み部分が、外皮を除去してなるシールド線露出部とされ、そのシールド線露出部が所定の電気的接続手段（好ましくは導電布，より好ましくはシールド線露出部の挿通孔を有するワッシャ状でコード挿通孔を塞ぐように配置される導電布）を介してベース部と電気的に接続されているため、外来電磁波による高周波電流のマイクロホンケース内への流れ込みを確実に防止することができる。
【発明を実施するための最良の形態】
【００２４】
次に、図１により本発明の実施形態について説明する。図１（ａ）は本発明のバウンダリーマイクロホンの実施形態を示す図２（ａ）と同様の断面図，図１（ｂ）は図１（ａ）のＡ−Ａ線断面図であり、この実施形態の説明において、先の図２により説明した従来例と同じであってよい構成要素には、その参照符号をそのまま用いている。
【００２５】
図１に示すように、本発明によるバウンダリーマイクロホンにおいても、マイクロホンケース１は、上面側が開放された金属製の扁平なベース部１０と、その上面を覆うようにしてベース部１０に取り付けられる多数の開口（音波導入孔）を有する金属製のマイクカバー２０の２つの部品から構成されてよい。
【００２６】
ベース部１０は例えば亜鉛ダイカストなどの鋳造により形成され、その後壁部１１にはコード挿通孔１２が穿設されている。また、ベース部１０の底面には、緩衝用のゴムシート１１が添着されている。ベース部１０を金属のプレス成型品としてもよい。
【００２７】
マイクカバー２０には、パンチングプレート（多孔板）が用いられる。パンチングプレートに代えて金網体が用いられることもある。マイクカバー２０は図示しないネジによりベース部１０に対してネジ止めされる。
【００２８】
このバウンダリーマイクロホンには、コンデンサマイクロホンが用いられるが、この実施形態においては、収音部としてのマイクロホンユニット３０のみがマイクロホンケース１内に収納され、音声信号出力回路，給電回路それに出力コネクタなどを有する図示しない出力モジュール部（パワーモジュール部と呼ばれることもある）はケース外に置かれ、マイクロホンユニット３０と上記出力モジュール部とが、専用のマイクコード３１を介して接続される。
【００２９】
この場合においても、マイクロホンユニット３０には、インピーダンス変換器としてのＦＥＴ（電界効果トランジスタ）が内蔵され、図１（ｂ）に示すように、マイクロホンユニット３０は固定バンド１５によりベース部１０に固定され、そのアース側のユニットケースとベース部１０とが電気的に接続される。
【００３０】
マイクコード３１は、ゴム製のコードブッシュ１４を介してコード挿通孔１２に挿通され、所定の引き抜き強度を確保するため、コードブッシュ１４の内側に抜け止め用の結束具（インシュロック）１５が取り付けられる。
【００３１】
マイクコード３１には、上記出力モジュール部からマイクロホンユニット３０に電源を供給する電源線３１ａと、上記ＦＥＴから出力される音声信号を上記出力モジュール部に与える信号線３１ｂと、電源線３１ａおよび信号線３１ｂを静電遮蔽し接地と落とされるシールド線３１ｃとを含み、そのシールド線３１ｃの外周が電気絶縁性の外皮３１ｄで覆われた２芯シールド被覆線が用いられるが、次の点で先の図２で説明した従来例と異なっている。
【００３２】
すなわち、この実施形態においては、マイクコード３１のうちマイクロホンケース１内に引き込まれる部分、すなわち結束具１５からマイクロホンユニット３０に至る部分までを外皮３１ｄが除去されたシールド線露出部（シールド編組みが露出した状態）３１０とし、このシールド線露出部３１０を電気的接続手段４０を介してベース部１０に電気的に接続する。
【００３３】
これによれば、携帯電話機が近傍で使用され、その強力な電磁波による高周波電流がシールド線３１ｃに乗っても、マイクロホンケース１内ではその高周波電流が電気的接続手段４０を介してベース部１０側に逃されるため、マイクロホンユニット３０内のＦＥＴにより検波されず、雑音が発生することがほとんどない。
【００３４】
電気的接続手段４０にリード配線を用いてもよいが、組立作業性および高周波電流の阻止の確実性などの観点から、電気的接続手段４０として導電布（導電性繊維；Ｃｏｎｄｕｃｔｉｖｅ  ＦＡＢＲＩＣ）４１を用いることが好ましく、市販されているものを例示すれば、セーレン社製の導電性繊維Ｓｕｉ−８０−７８６０Ｎ（品番）などがある。
【００３５】
導電布４１を使用する場合、図１（ａ）に示すように、シールド線露出部３１０の挿通孔を有するワッシャ状に形成し、結束具１５の近傍でベース部１０に穿設されているコード挿通孔１２を塞ぐように配置することが好ましい。
【００３６】
その場合、ワッシャ状に形成された導電布４１を結束具１５とコードブッシュ１４との間に位置させてもよい。本発明の効果が得られる変形例として、マイクロホンケース１内におけるシールド線露出部３１０を導電布４１が接続される部分のみとし、他の部分に外皮３１ｄを残してもよい。
【図面の簡単な説明】
【００３７】
【図１】（ａ）は本発明によるバウンダリーマイクロホンの実施形態を示す断面図，（ｂ）は（ａ）のＡ−Ａ線断面図。
【図２】（ａ）は従来の一般的なバウンダリーマイクロホンの長さ方向に沿った断面図，（ｂ）は（ａ）のＢ−Ｂ線断面図。
【符号の説明】
【００３８】
１  マイクロホンケース
１０  ベース部
１２  コード挿通孔
１４  コードブッシュ
１５  結束具
２０  マイクカバー
３０  マイクホンユニット
３１  マイクコード
３１ｄ  外皮
３１０  シールド線露出部
４０  電気的接続手段
４１  導電布
【図１】
2008187581.tif 000003
【図２】
2008187581.tif 000004